(57)【要約】【課題】より簡単な方法によってＯＣＲの誤動作を低減可能な画像処理装置、画像処理プログラム、データサーバ及び画像処理システムを提供する。【解決手段】文字画像データからテキストデータを生成するＯＣＲ装置５に対して通信可能に接続された画像処理装置１は、印刷物をスキャナ４による読み取りで得た画像ページデータからイラスト画像領域を判別する判別部１２と、判別部１２により判別したイラスト画像領域を、画像ページデータから消去する消去部１５と、消去部１５によりイラスト画像領域が消去された消去後画像ページデータを、ＯＣＲ装置５に対して送信する送信部１６と、消去後画像ページデータに含まれる文字画像データをテキストデータに変換した変換後ページデータを、ＯＣＲ装置５から受信する受信部１７と、を備える。【選択図】図１
2018005548.tif 000002
【特許請求の範囲】
【請求項１】
文字画像データからテキストデータを生成する文字認識装置に対して通信可能に接続された画像処理装置であって、
印刷媒体を光学的に読み取って得た画像ページデータから非文字画像領域を判別する画像領域判別手段と、
前記画像領域判別手段により判別した前記非文字画像領域を、前記画像ページデータから消去する消去手段と、
前記消去手段により前記非文字画像領域が消去された消去後画像ページデータを、前記文字認識装置に対して送信する送信手段と、
前記消去後画像ページデータに含まれる文字画像データをテキストデータに変換した変換後ページデータを、前記文字認識装置から受信する受信手段と、
を備えること、
を特徴とする画像処理装置。
【請求項２】
印刷媒体を光学的に読み取って得た画像ページデータから非文字画像領域を判別する画像領域判別手段と、
前記画像領域判別手段により判別した前記非文字画像領域を、前記画像ページデータから消去する消去手段と、
前記消去手段により前記非文字画像領域が消去された消去後画像ページデータに含まれる文字画像データをテキストデータに変換して、変換後ページデータを生成する文字認識手段と、
を備える画像処理装置。
【請求項３】
請求項１又は請求項２に記載の画像処理装置において、
前記画像領域判別手段は、前記画像ページデータに対して膨張伸縮処理を行って前記画像ページデータに含まれる複数の要素に対して各々の輪郭を抽出し、閾値以上の輪郭の外接矩形を描画して、その面積並びに縦及び横の辺の長さの少なくとも一方によって、前記非文字画像領域を判別すること、
を特徴とする画像処理装置。
【請求項４】
請求項１から請求項３までのいずれかに記載の画像処理装置において、
前記消去手段は、前記非文字画像領域を前記画像ページデータの背景色に塗りつぶすか、又は前記非文字画像領域を前記画像ページデータから切り取ることで、前記画像ページデータから前記非文字画像領域を消去すること、
を特徴とする画像処理装置。
【請求項５】
請求項１から請求項４までのいずれかに記載の画像処理装置において、
前記画像領域判別手段により判別した前記非文字画像領域の位置情報を取得し、取得した前記位置情報と前記非文字画像領域とを対応付けた非文字画像データを生成する非文字画像データ生成手段を備えること、
を特徴とする画像処理装置。
【請求項６】
請求項５に記載の画像処理装置において、
前記非文字画像データ生成手段により生成された前記非文字画像データに基づいて、前記変換後ページデータに、前記非文字画像領域を配置した電子文書を生成する文書生成手段を備えること、
を特徴とする画像処理装置。
【請求項７】
請求項１から請求項６までのいずれかに記載の画像処理装置として、コンピュータを機能させるための画像処理プログラム。
【請求項８】
請求項５又は請求項６に記載の画像処理装置に対して通信可能に接続されたデータサーバであって、
前記画像処理装置から受信した前記変換後ページデータと、前記非文字画像データとを、前記画像ページデータに関連付けて記憶するデータベースを備えること、
を特徴とするデータサーバ。
【請求項９】
請求項１から請求項６までのいずれかに記載の画像処理装置と、
印刷媒体を光学的に読み取って、前記画像処理装置が分析する画像ページデータを生成する画像生成装置と、
を備える画像処理システム。
【請求項１０】
請求項１及び請求項３から請求項６までのいずれかに記載の画像処理装置と、
印刷媒体を光学的に読み取って、前記画像処理装置が分析する画像ページデータを生成する画像生成装置と、
前記画像処理装置が出力した前記消去後画像ページデータに含まれる文字画像データをテキストデータに変換して、変換後ページデータを生成する文字認識装置と、
を備える画像処理システム。
【発明の詳細な説明】
【技術分野】
【０００１】
本発明は、画像処理装置、画像処理プログラム、データサーバ及び画像処理システムに関する。
【背景技術】
【０００２】
現在、図書館等の本の内容を、文字データ等の電子データにし、この電子データを、音声データ等の他形式データに変換することによるサービスの需要が高まっている。例えば、音声データに変換することで、目が不自由な人向けの朗読サービス等への応用が期待されている。
本の電子化を実現する方法として、従来、ＭＦＰ（Ｍｕｌｔｉｆｕｎｃｔｉｏｎ  Ｐｅｒｉｐｈｅｒａｌ  ）のような印刷物をスキャンし電子化する装置が知られている。そして、ＯＣＲ（Ｏｐｔｉｃａｌ  Ｃｈａｒａｃｔｅｒ  Ｒｅａｄｅｒ）機能を用いてスキャンをした画像内のテキスト画像を、テキストデータにできる。
【０００３】
しかし、スキャンをした画像に、テキストではないイラスト等の画像が含まれている場合には、ＯＣＲが誤動作して、識字率が下がるという問題があった。
図７（Ａ）は、イラスト画像８１（８１ａ，８１ｂ）と、テキスト画像８２（８２ａ〜８２ｃ）とを含む画像ページデータを、ＯＣＲ機能を用いて変換した場合の例を示す。ＯＣＲ機能によって、テキスト画像８２（８２ａ〜８２ｃ）は、テキストデータ９２（９２ａ〜９２ｃ）に変換される。しかし、イラスト画像８１（８１ａ，８１ｂ）は、イラストを文字として認識、あるいは文字化けしたデータ９１（９１ａ，９１ｂ）になってしまう。そのため、変換後ページデータ９０の識字率が下がってしまう。
【０００４】
そこで、ＯＣＲの誤動作を低減させるものとして、テキスト画像を抽出して、抽出したテキスト画像に対してＯＣＲ機能を用いることが行われている（例えば、特許文献１）。
【先行技術文献】
【特許文献】
【０００５】
【特許文献１】特開２０１５−２０４０１５号公報
【発明の概要】
【発明が解決しようとする課題】
【０００６】
特許文献１に記載されている手法は、テキスト画像を抽出するものであるが、そのテキスト画像を、ユーザが指定する必要があった。また、テキスト画像の抽出を、文書単位等にする必要があり、その処理が煩雑であった。
【０００７】
そこで、本発明は、より簡単な方法によってＯＣＲの誤動作を低減可能な画像処理装置、画像処理プログラム、データサーバ及び画像処理システムを提供することを目的とする。
【課題を解決するための手段】
【０００８】
本発明は、以下のような解決手段により、前記課題を解決する。
第１の発明は、文字画像データからテキストデータを生成する文字認識装置に対して通信可能に接続された画像処理装置であって、印刷媒体を光学的に読み取って得た画像ページデータから非文字画像領域を判別する画像領域判別手段と、前記画像領域判別手段により判別した前記非文字画像領域を、前記画像ページデータから消去する消去手段と、前記消去手段により前記非文字画像領域が消去された消去後画像ページデータを、前記文字認識装置に対して送信する送信手段と、前記消去後画像ページデータに含まれる文字画像データをテキストデータに変換した変換後ページデータを、前記文字認識装置から受信する受信手段と、を備えること、を特徴とする画像処理装置である。
第２の発明は、印刷媒体を光学的に読み取って得た画像ページデータから非文字画像領域を判別する画像領域判別手段と、前記画像領域判別手段により判別した前記非文字画像領域を、前記画像ページデータから消去する消去手段と、前記消去手段により前記非文字画像領域が消去された消去後画像ページデータに含まれる文字画像データをテキストデータに変換して、変換後ページデータを生成する文字認識手段と、を備える画像処理装置である。
第３の発明は、第１の発明又は第２の発明の画像処理装置において、前記画像領域判別手段は、前記画像ページデータに対して膨張伸縮処理を行って前記画像ページデータに含まれる複数の要素に対して各々の輪郭を抽出し、閾値以上の輪郭の外接矩形を描画して、その面積並びに縦及び横の辺の長さの少なくとも一方によって、前記非文字画像領域を判別すること、を特徴とする画像処理装置である。
第４の発明は、第１の発明から第３の発明までのいずれかの画像処理装置において、前記消去手段は、前記非文字画像領域を前記画像ページデータの背景色に塗りつぶすか、又は前記非文字画像領域を前記画像ページデータから切り取ることで、前記画像ページデータから前記非文字画像領域を消去すること、を特徴とする画像処理装置である。
第５の発明は、第１の発明から第４の発明までのいずれかの画像処理装置において、前記画像領域判別手段により判別した前記非文字画像領域の位置情報を取得し、取得した前記位置情報と前記非文字画像領域とを対応付けた非文字画像データを生成する非文字画像データ生成手段を備えること、を特徴とする画像処理装置である。
第６の発明は、第５の発明の画像処理装置において、前記非文字画像データ生成手段により生成された前記非文字画像データに基づいて、前記変換後ページデータに、前記非文字画像領域を配置した電子文書を生成する文書生成手段を備えること、を特徴とする画像処理装置である。
第７の発明は、第１の発明から第６の発明までのいずれかの画像処理装置として、コンピュータを機能させるための画像処理プログラムである。
第８の発明は、第５の発明又は第６の発明の画像処理装置に対して通信可能に接続されたデータサーバであって、前記画像処理装置から受信した前記変換後ページデータと、前記非文字画像データとを、前記画像ページデータに関連付けて記憶するデータベースを備えること、を特徴とするデータサーバである。
第９の発明は、第１の発明から第６の発明までのいずれかの画像処理装置と、印刷媒体を光学的に読み取って、前記画像処理装置が分析する画像ページデータを生成する画像生成装置と、を備える画像処理システムである。
第１０の発明は、第１の発明及び第３の発明から第６の発明までのいずれかの画像処理装置と、印刷媒体を光学的に読み取って、前記画像処理装置が分析する画像ページデータを生成する画像生成装置と、前記画像処理装置が出力した前記消去後画像ページデータに含まれる文字画像データをテキストデータに変換して、変換後ページデータを生成する文字認識装置と、を備える画像処理システムである。
【発明の効果】
【０００９】
本発明によれば、より簡単な方法によってＯＣＲの誤動作を低減可能な画像処理装置、画像処理プログラム、データサーバ及び画像処理システムを提供することができる。
【図面の簡単な説明】
【００１０】
【図１】本実施形態に係る画像処理システムの全体構成を示す図である。
【図２】本実施形態に係る画像処理装置の機能ブロックを示す図である。
【図３】本実施形態に係るデータサーバのファイル構成例を示す図である。
【図４】本実施形態に係る画像処理装置での画像分析処理を示すフローチャートである。
【図５】本実施形態に係る画像処理装置でのイラスト画像判別処理を示すフローチャートである。
【図６】本実施形態に係る画像処理装置での処理を説明するための図である。
【図７】従来の処理と、本実施形態に係る処理との概要を説明するための図である。
【発明を実施するための形態】
【００１１】
以下、本発明を実施するための形態について、図を参照しながら説明する。なお、これは、あくまでも一例であって、本発明の技術的範囲はこれに限られるものではない。
（実施形態）
＜画像処理システム１００＞
図１は、本実施形態に係る画像処理システム１００の全体構成を示す図である。
図２は、本実施形態に係る画像処理装置１の機能ブロックを示す図である。
図３は、本実施形態に係るデータサーバのファイル構成例を示す図である。
【００１２】
図１に示す画像処理システム１００は、画像処理装置１と、スキャナ４（画像生成装置）と、ＯＣＲ装置５（文字認識装置）と、データサーバ６とを備え、各々が通信ネットワークＮを介して接続されている。そして、画像処理システム１００は、スキャナ４が、例えば、書籍等の印刷物（印刷媒体）の各ページをスキャンして、画像ページデータを出力する。そして、画像処理システム１００は、画像処理装置１が、画像ページデータからイラスト画像（非文字画像）を消去した消去後画像ページデータを生成する。さらに、画像処理システム１００は、ＯＣＲ装置５が、消去後画像ページデータを文字認識して、文字画像をテキストに変換した変換後ページデータを生成する。そして、画像処理システム１００は、このシステムで生成された各種のデータを、データサーバ６に記憶させる。このようにすることで、画像処理システム１００は、データサーバ６のデータを用いて、音声データを生成する等の印刷物の二次利用を行えるようにする。
【００１３】
＜画像処理装置１＞
画像処理装置１は、画像ページデータからイラスト画像を消去した消去後画像ページデータを生成するサーバである。
図２に示すように、画像処理装置１は、制御部１０と、記憶部３０と、通信インタフェース部３９とを備える。
制御部１０は、画像処理装置１の全体を制御する中央処理装置（ＣＰＵ）である。制御部１０は、記憶部３０に記憶されているオペレーティングシステム（ＯＳ）やアプリケーションプログラムを適宜読み出して実行することにより、上述したハードウェアと協働し、各種機能を実行する。
【００１４】
制御部１０は、受付部１１と、判別部１２（画像領域判別手段）と、構造化部１３と、イラスト画像登録部１４（非文字画像データ生成手段）と、消去部１５（消去手段）と、送信部１６（送信手段）と、受信部１７（受信手段）と、データ登録部１８（データ記録手段）とを備える。
受付部１１は、スキャナ４が生成した画像ページデータを受け付ける。
判別部１２は、画像ページデータからイラスト画像を含むイラスト画像領域（非文字画像領域）を判別する。
構造化部１３は、画像ページデータの構造化データを生成する。
イラスト画像登録部１４は、イラスト画像領域と、その位置データとを含むイラスト画像データ（非文字画像データ）を生成して、中間データ記憶部３３に記憶させる。
【００１５】
消去部１５は、画像ページデータからイラスト画像領域を消去して、消去後画像ページデータを生成する。
送信部１６は、消去後画像ページデータを、ＯＣＲ装置５に対して送信する。
受信部１７は、ＯＣＲ装置５から変換後ページデータを受信する。変換後ページデータは、消去後画像ページデータに対して文字認識処理を行った結果データであり、消去後画像ページデータに含まれる文字画像（文字画像データ）が、テキスト（テキストデータ）に変換されたものである。
データ登録部１８は、中間データ記憶部３３に記憶されたイラスト画像データと、受信部１７が受信した変換後ページデータとを、データサーバ６に対して記憶させる。
なお、各処理の詳細については、後述する。
【００１６】
記憶部３０は、制御部１０が各種の処理を実行するために必要なプログラム、データ等を記憶するためのハードディスク、半導体メモリ素子等の記憶領域である。
ここで、コンピュータとは、制御部、記憶装置等を備えた情報処理装置をいい、画像処理装置１は、制御部１０、記憶部３０等を備えた情報処理装置であり、コンピュータの概念に含まれる。
記憶部３０は、プログラム記憶部３１と、中間データ記憶部３３とを備える。
【００１７】
プログラム記憶部３１は、各種プログラムを記憶する記憶領域である。プログラム記憶部３１は、画像処理プログラム３１ａを記憶している。画像処理プログラム３１ａは、画像処理装置１の制御部１０が実行する各種機能を行うためのプログラムである。
中間データ記憶部３３は、画像処理装置１の制御部１０が実行する処理によって生成したデータ等を、一時記憶させる記憶領域である。
通信インタフェース部３９は、通信ネットワークを介してスキャナ４、ＯＣＲ装置５及びデータサーバ６との間の通信を行うためのインタフェース部である。
【００１８】
＜スキャナ４＞
図１に戻り、スキャナ４は、例えば、ＭＦＰであり、印刷物をスキャンして電子化する装置である。スキャナ４は、印刷物をページごとにスキャンして、画像ページデータを生成する。そして、スキャナ４は、生成した画像ページデータを、データサーバ６に送信する。スキャナ４は、図示しないが、制御部、記憶部、読取部、通信インタフェース部等を備える。
【００１９】
＜ＯＣＲ装置５＞
ＯＣＲ装置５は、例えば、パーソナルコンピュータ（ＰＣ）であり、消去後画像ページデータに対して文字認識処理を行って、変換後ページデータを生成する。ＯＣＲ装置５は、画像処理装置１から画像ページデータを受信し、変換後ページデータを生成して、画像処理装置１に送信する。ＯＣＲ装置５は、図示しないが、制御部、記憶部、通信インタフェース部等を備える。
【００２０】
＜データサーバ６＞
データサーバ６は、各種データを記憶するサーバである。
データサーバ６は、スキャナ４から受信した画像ページデータを、記憶装置６０に記憶する。また、データサーバ６は、画像処理装置１から受信した変換後ページデータ及びイラスト画像データを、記憶装置６０に記憶する。
図３に示すように、データサーバ６の記憶装置６０は、各印刷物であるドキュメントごとに、１つのフォルダとし、そのフォルダには、ページごとに各種のデータを格納する。データサーバ６は、画像処理装置１による処理を行う前は、「ドキュメントＢ」のフォルダが示すように、画像ページデータを記憶している。また、データサーバ６は、画像処理装置１による処理を行った後には、「ドキュメントＡ」のフォルダが示すように、画像ページデータと、その画像ページデータに対応する変換後ページデータ及びイラスト画像データとを対応付けて記憶する。データサーバ６は、図１に示す記憶装置６０の他、図示しないが、制御部、通信インタフェース部等を備える。
通信ネットワークＮは、各装置間のネットワークであり、インターネット回線等である。
【００２１】
＜画像処理装置１の処理＞
次に、画像処理装置１の処理について説明する。
図４は、本実施形態に係る画像処理装置１での画像分析処理を示すフローチャートである。
図５は、本実施形態に係る画像処理装置１でのイラスト画像判別処理を示すフローチャートである。
図６は、本実施形態に係る画像処理装置での処理を説明するための図である。
図７は、従来の処理と、本実施形態に係る処理との概要を説明するための図である。
【００２２】
図４のステップＳ（以下、「Ｓ」という。）１０において、画像処理装置１の制御部１０（受付部１１）は、処理を行う画像ページデータを含むファイルを、データサーバ６から取得する。制御部１０は、例えば、図３に示す未処理の「ドキュメントＢ」のフォルダを取得する。
Ｓ１１において、制御部１０は、取得したファイルから、処理を行う画像ページデータを１つ選択する。ここで、制御部１０は、ファイルに複数の画像ページデータを含む場合には、１つずつ処理を行う。制御部１０は、例えば、図３に示す「ドキュメントＢ」のフォルダに含む「１ページ目」のフォルダを取得する。
Ｓ１２において、制御部１０（判別部１２）は、イラスト画像判別処理を行う。
【００２３】
ここで、イラスト画像判別処理について、図５に基づき説明する。
図５のＳ３０において、制御部１０は、画像ページデータをグレースケール化する。制御部１０は、例えば、８ビットや、１６ビットによって、灰色の階調の細かさを表すようにする。なお、ここでは、グレースケール化するものとして以降の説明を行うが、カラー化してもよい。
Ｓ３１において、制御部１０は、画像ページデータの紙の色（余白の色）を取得する。制御部１０は、例えば、画像ページデータのページ四隅の色情報を取得する。なお、この紙の色を取得する処理は、画像ページデータごとに行うが、これは、背景色の情報に個体差があり、紙の色が画像ページデータごとに異なるためである。
【００２４】
Ｓ３２において、制御部１０は、画像ページデータに対して膨張伸縮処理をする。膨張伸縮処理として、制御部１０は、画像ページデータに含まれる文字画像（要素）やイラスト画像（要素）をぼかして、膨張及び伸縮を繰り返す。
図６（Ａ）は、画像ページデータ７０の例を示す。そして、図６（Ｂ）は、画像ページデータ７０を膨張伸縮処理した後の膨張伸縮処理後ページデータ７１を示す。図６（Ｂ）が示すように、この膨張伸縮処理によって、画像ページデータ７０に含む各文字画像及びイラスト画像が、かたまりとして表現される。
【００２５】
図５に戻り、Ｓ３３において、制御部１０は、膨張伸縮処理後ページデータに対して二値化処理を行って、輪郭を抽出する。
Ｓ３４において、制御部１０は、閾値未満の輪郭を削除する。ここで、閾値は、文字サイズの平均値を計算することで予め指定されていてもよいし、この処理を行う前に手入力してもよい。この処理によって、閾値未満の文字画像は、イラスト画像ではないとして除外される。図６（Ｃ）は、閾値未満の輪郭を削除した後の処理中ページデータ７２を示す。処理中ページデータ７２は、輪郭７２ａと、輪郭７２ｂとを含む。
Ｓ３５において、制御部１０は、処理中ページデータに輪郭が残っているか否かを判断する。輪郭が残っている場合（Ｓ３５：ＹＥＳ）には、制御部１０は、処理をＳ３６に移す。他方、輪郭が残っていない場合（Ｓ３５：ＮＯ）には、制御部１０は、本処理を終了して、処理を図４に移す。輪郭が残っていない場合とは、画像ページデータが、例えば、文字画像のみからなる場合をいう。
Ｓ３６において、制御部１０は、輪郭の内部を塗りつぶしてひとかたまりにし、かたまりの外接矩形を描画する。図６（Ｄ）は、外形矩形が描画された処理中ページデータ７３を示す。処理中ページデータ７３は、外接矩形７３ａ及び７３ｂを含む。
【００２６】
Ｓ３７において、制御部１０は、描画した外接矩形に基づいて、イラスト画像領域を選択する。制御部１０は、外接矩形の面積と、外接矩形の縦及び横の辺の長さとを算出する。そして、制御部１０は、算出した面積が文字サイズの平均値より大きな値のものを選択して、イラスト画像領域にする。この処理により、制御部１０は、図６（Ｄ）に示す外接矩形７３ｂを、イラスト画像領域として選択する。また、制御部１０は、算出した縦又は横の辺の長さが所定値より長いものを選択して、イラスト画像領域にする。この処理により、制御部１０は、図６（Ｄ）に示す外接矩形７３ａを、イラスト画像領域として選択する。その後、制御部１０は、本処理を終了し、処理を図４に移す。
【００２７】
図４に戻り、Ｓ１３において、制御部１０（構造化部１３）は、画像ページデータの構造化データを生成する。構造化データは、例えば、構造化文書を記述する言語の１つであるＸＭＬ（ｅＸｔｅｎｓｉｂｌｅ  Ｍａｒｋｕｐ  Ｌａｎｇｕａｇｅ）で記述されたデータである。構造化データは、画像ページデータを構成する各画像を、所定の開始タグと終了タグとを用いて表し、各画像の配置位置が記述されたものである。
Ｓ１４において、制御部１０（イラスト画像登録部１４）は、Ｓ１３で生成した構造化データからイラスト画像領域の位置データを取得する。そして、制御部１０は、イラスト画像判別処理（Ｓ１２）により判別されたイラスト画像領域と、そのイラスト画像領域の位置データとを含むイラスト画像データを、中間データ記憶部３３に記憶させる。
【００２８】
Ｓ１５において、制御部１０（消去部１５）は、画像ページデータに対してイラスト画像領域を紙の色に塗りつぶすことで、画像ページデータからイラスト画像領域を消去する。ここで、紙の色は、イラスト画像判別処理において取得している（図５のＳ３１）。この処理によって、イラスト画像領域を消去した後の消去後画像ページデータは、イラスト画像を含まず、文字画像のみになる。
Ｓ１６において、制御部１０（送信部１６）は、消去後画像ページデータを、ＯＣＲ装置５に対して送信する。
【００２９】
ＯＣＲ装置５では、ＯＣＲ装置５の制御部は、消去後画像ページデータを読み取って文字認識処理を行い、変換後ページデータを生成する。ここで、上述したように、消去後画像ページデータは、文字画像のみのデータであるため、ＯＣＲ装置５では、一般的な文字認識処理によって、文字画像からテキストデータを取得することができる。そして、取得したテキストデータは、誤作動が少ないものになるので、識字率の向上が期待できる。
図７（Ｂ）は、上述で説明した処理を行った場合の例である。画像処理装置１は、画像ページデータ８０のイラスト画像８１（８１ａ，８１ｂ）を、紙の色に塗りつぶす。そして、ＯＣＲ装置５は、テキスト画像８２（８２ａ〜８２ｃ）（文字画像データ）のみになった処理中ページデータ８５に対して、ＯＣＲによる変換をする。なお、この図では、処理中ページデータ８５の塗りつぶした部分を、分かりやすく点線で示している。ＯＣＲ装置５は、イラスト画像８１を含まない処理中ページデータ８５に対して文字認識処理をすることで、得られる変換後ページデータ９０は、テキスト画像８２（８２ａ〜８２ｃ）を変換したテキストデータ９２（９２ａ〜９２ｃ）のみになる。よって、ＯＣＲによる変換を行っても、イラスト画像８１があることによってイラストを文字として認識したり、文字化けを発生させたりすることがない。
そして、ＯＣＲ装置５の制御部は、取得した変換後ページデータを、画像処理装置１に対して送信する。
【００３０】
図４のＳ１７において、制御部１０（受信部１７）は、消去後画像ページデータに対応する変換後ページデータを、ＯＣＲ装置５から受信する。
Ｓ１８において、制御部１０（データ登録部１８）は、中間データ記憶部３３に記憶されたイラスト画像データと、受信部１７が受信した変換後ページデータとを、データサーバ６に対して送信する。
データサーバ６では、データサーバ６の制御部は、受信したイラスト画像データと、変換後ページデータとを、画像ページデータに対応付けて記憶装置６０に記憶させる。
Ｓ１９において、制御部１０は、取得したファイルに含まれる全ての画像ページデータに対して処理をしたか否かを判断する。全ての画像ページデータに対して処理をした場合（Ｓ１９：ＹＥＳ）には、制御部１０は、本処理を終了する。他方、全ての画像ページデータに対して処理をしていない場合（Ｓ１９：ＮＯ）には、制御部１０は、処理をＳ１１に移し、取得したファイルに含まれる未処理の画像ページデータに対して、この処理を繰り返す。
【００３１】
この処理によって、画像処理システム１００は、画像処理装置１が、文字画像とイラスト画像とを含む画像ページデータからイラスト画像だけを区別して消去し、文字画像のみになった消去後画像ページデータをＯＣＲ装置５に対して送信する。よって、ＯＣＲ装置５で文字認識処理をした結果として得られる変換後ページデータは、文字画像から得られるテキストデータのみを含むものになるため、識字率の向上を行うことができる。
【００３２】
このように、本実施形態の画像処理システム１００によれば、以下のような効果がある。
（１）画像処理装置１は、画像ページデータからイラスト画像領域を削除した消去後画像ページデータを生成して、ＯＣＲ装置５に対して処理を行わせる。よって、ＯＣＲ装置５による処理前に、事前にイラスト画像を排除することによって、識字率を向上できる。
また、画像処理装置１は、消去後画像ページデータを生成すればよいため、文書単位等にする処理を行う必要がなく、より容易な処理にできる。
（２）画像処理装置１は、画像ページデータに対して膨張伸縮処理を行って前記画像ページデータに含まれる文字画像やイラスト画像に対して各々の輪郭を抽出し、閾値以上の輪郭の外接矩形を描画して、その面積並びに縦及び横の辺の長さの少なくとも一方によって、イラスト画像領域を判別する。よって、画像ページデータに含まれるイラスト画像を、自動的に抽出できる。なお、このイラスト画像領域の判別は、文字が主であって、説明のための表や図が挿入されている、製版データのない実用書等において、その効果をより発揮しうる。
【００３３】
（３）画像処理装置１では、イラスト画像領域を、画像ページデータの背景色に塗りつぶすことによって、イラスト画像を消去できる。画像ページデータの背景色にすることで、イラスト画像がなかった状態の消去後画像ページデータに対して、ＯＣＲ装置による処理を行わせることができる。
そして、ＯＣＲ装置５は、受け付けた消去後画像ページデータに対して文字認識処理を行い、変換後ページデータを生成する処理をするだけでよく、汎用的なＯＣＲの機能を有していればよいため、実現が容易である。
（４）イラスト画像データと、変換後ページデータとを、画像ページデータに対応付けてデータサーバ６に記憶させることで、変換後ページデータを用いたテキストデータから音声データを生成する等の二次利用ができる。また、イラスト画像データと、変換後ページデータのテキストデータとを用いた別教材の作成等のデータの活用を図ることができる。
（５）画像処理装置１は、ファイル単位で処理を行うため、一括で処理を行うことができる。また、画像処理装置１は、ファイル内の複数の画像ページデータに対して自動で処理を行うことができる。
【００３４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３５】
（変形形態）
（１）本実施形態では、画像処理装置は、消去後画像ページデータを、ＯＣＲ装置に送信し、ＯＣＲ装置で生成した変換後ページデータを受信するものを例に説明したが、これに限定されない。画像処理装置が、ＯＣＲの機能をも有するものであってもよい。そのようにすることで、画像処理装置のみで、画像ページデータから変換後ページデータを生成する処理までを行うことができる。
（２）本実施形態では、画像処理装置は、イラスト画像領域を、画像ページデータの背景色に塗りつぶすことによって、画像ページデータからイラスト画像を消去するものを例に説明したが、これに限定されない。イラスト画像領域を、画像ページデータから切り取ることで、画像ページデータからイラスト画像を消去するようにしてもよい。
【００３６】
（３）本実施形態では、データサーバの記憶装置に、各種のデータを記憶させるものを説明したが、これに限定されない。変換後ページデータと、イラスト画像データとを用いて、電子文書を生成してもよい。
【符号の説明】
【００３７】
１    画像処理装置
４    スキャナ
５    ＯＣＲ装置
６    データサーバ
１０  制御部
１２  判別部
１４  イラスト画像登録部
１５  消去部
１６  送信部
１７  受信部
１８  データ登録部
３０  記憶部
３１ａ  画像処理プログラム
６０  記憶装置
１００  画像処理システム
【図１】
2018005548.tif 000003
【図２】
2018005548.tif 000004
【図３】
2018005548.tif 000005
【図４】
2018005548.tif 000006
【図５】
2018005548.tif 000007
【図６】
2018005548.tif 000008
【図７】
2018005548.tif 000009